(57)【特許請求の範囲】
【請求項１】
流し台の開口部に組み込まれ、こんろ部をその上部に臨ませた調理機器本体と、前記調理機器本体の上部を覆う天板と、前記天板と流し台の上面との間に設けたシールパッキンと、前記調理機器本体に設けた天板位置決め具と、前記天板の裏面に装着した支持金具と、前記調理機器本体に装着した水平方向にスライドし前記支持金具と嵌合して前記天板を係止する支持レバーとを有し、前記支持レバーは、天板が係止されていないと汁受け皿に当接し、汁受け皿を正規位置から浮かすアームを有する構成とした組込型調理機器。
【請求項２】
流し台の開口部に組み込まれ、こんろ部をその上部に臨ませた調理機器本体と、前記調理機器本体の上部を覆う天板と、前記天板と流し台の上面との間に設けたシールパッキンと、前記調理機器本体に設けた天板位置決め具と、前記天板の裏面に装着した支持金具と、前記調理機器本体に装着した水平方向にスライドし前記支持金具と嵌合して前記天板を係止する支持レバーとを有し、前記支持レバーは、汁受け皿を所定以上の荷重で天板を載置することにより水平方向へスライドし支持金具と嵌合する構成とした組込型調理機器。
【発明の詳細な説明】
【０００１】
【産業上の利用分野】
本発明は流し台の開口部に組込まれる組込型調理機器の天板係止構造及びその天板係止用支持レバーに関するものである。
【０００２】
【従来の技術】
図５に示すような流し台の開口部１に組込型調理機器を設置する場合、調理機器本体を前方より押し込んで上部に引き上げ固定した後、天板を最後に取付けるのが一般的となっており、従来は図６に示すように天板２の裏面に複数個の支持金具３を設け、図７に示すように調理機器本体４には複数個の支持レバー５を上下方向にスライド可能に装着し支持金具３と前後方向に嵌合して天板２を下方に引っぱり天板２を係止する構成としている。図８に示すように支持レバー５は所定の高さにて、ばね６に付勢され回動自在に装着されたロック金具７により上方への動きをロックする構成である。ロック金具７の先端に爪部７ａを形成し支持金具３を後方にずらすことによってロック金具７は支持レバー５より外れ、支持レバー５と共に天板２は上方に上げることが可能になる。すなわち天板２を取付ける場合には複数個の支持レバー５が上方に位置する状態で複数個の支持金具３を嵌合させてから全体を下方に押さえつけ天板２を係止し、取外す場合は天板２を後方にずらして係止を解除するものである。なお、図７、図８において、８は天板２と流し台上面９との間に介在し煮こぼれ汁等の内部侵入を防止するためのシールパッキンである。
【０００３】
【発明が解決しようとする課題】
しかしながら上記従来の構成では、天板２を装着する際、作業者からは見えない位置にある複数個の支持金具３を同時に複数個の支持レバー５と嵌合させなければならないため、装着が困難であり、係止が不完全になり易く、その結果加熱されるにつれて天板２が変形し、シールパッキン８のシール性が失われる等の課題があった。
【０００４】
そこで、本発明は天板が簡単に着脱できる組込型調理機器を提供することを第１の目的としている。
【０００５】
また、第２の目的は天板の係止忘れが防止でき、天板を確実に係止することのできる組込型調理機器を提供することにある。
【０００６】
【課題を解決するための手段】
本発明の組込型調理器の天板係止構造は、天板の裏面に支持金具と、調理機器本体には天板位置決め具と、水平方向にスライドし支持金具と嵌合する支持レバーを備え、支持レバーは、天板が係止されていないと汁受け皿に当接し、汁受け皿を正規位置から浮かすアームを有する構成としたものである。
【０００８】
また、本発明の組込型調理器は、天板の裏面に支持金具と、調理機器本体には天板位置決め具と、水平方向にスライドし支持金具と嵌合する支持レバーを備え、支持レバーは、汁受け皿を所定以上の荷重で上から押さえることにより水平方向へスライドし支持金具と嵌合する構成としたものである。
【０００９】
【作用】
上記した手段によれば、天板の取付けにおいては天板を天板位置決め具に合わせて載置した後、支持レバーを水平方向にスライドして天板の裏面に装着した支持金具と嵌合することにより天板を係止し、取外しにおいては支持レバーを取付け時の方向とは逆方向にスライドさせて支持金具との嵌合を解除するという簡単な操作で天板の着脱ができるものである。
【００１０】
そして、支持レバーが支持金具と嵌合していない状態において、汁受け皿を天板に載置すると、支持レバーに設けた汁受け皿の表面へ突出するアーム部に汁受け皿が乗り上げ、天板より浮き上がり正しく装着されないため、天板の係止忘れを発見することができる。
【００１１】
また、別の手段によれば、支持レバーが支持金具と嵌合していない状態において、汁受け皿を天板に載置した場合でも、汁受け皿を所定以上の荷重で上から押さえることにより、支持レバーがスライドして支持金具と嵌合するため、天板を確実に係止することができる。
【００１２】
【実施例】
以下本発明の一実施例について図面を参照しながら説明する。なお、従来例と同一機能を有する部分には同一番号を附す。
【００１３】
図１は流し台の開口部１に組込型調理機器を設置した状態を示し、調理機器本体４の上部を覆って天板２が装着され、この天板２の外周の縁にシールパッキン８が流し台上面９に密着するように設けられている。天板２の裏面には図２に示すように左右に位置決め孔１０と中央には支持金具３を装着しており、一方調理機器本体４には位置決め孔１０と対応した位置に位置決め爪１１と中央に支持レバー５を装着している。支持レバー５は支持レバー台１２の上にピン１３により装着され、ピン１３を支点として水平方向に回動し、先端部５ａが支持金具３と嵌合することにより天板２を係止する構成となっている。
【００１４】
図３に示すように支持レバー５のレバーつまみ５ｂは天板２の汁受け皿装着開口部２ａに臨んでおり、天板２を取付ける場合には、天板２の位置決め孔１０を位置決め爪１１に挿入し載置した後レバーつまみ５ｂを手前に引き、支持レバー５を回動させて天板２の支持金具３に嵌合させ天板２を係止する。天板２を取外す場合は、レバーつまみ５ｂを奥へ押して支持レバー５と支持金具３の嵌合を解除するものである。
【００１５】
また図３に示すように天板２の取付けにおいて支持レバー５を回動させなかった場合、汁受け皿１４を天板２に載置すると、支持レバー５から上方へ伸びたアーム５ｃが汁受け皿１４の傾斜面１４ａに当たり、汁受け皿１４は天板２から浮いた状態となる。さらに、汁受け皿１４を荷重Ｐで下方へ押さえることにより、支持レバー５が傾斜面１４ａに沿って回動し支持金具３と嵌合するため、確実に天板２を係止することができる。
【００１６】
【発明の効果】
以上の説明から本発明では、以下の効果が得られる。
【００１７】
（１）支持レバーを水平方向にスライドすることによって天板が着脱できる構造であるため、工具を要することなく施工、サービスあるいは手入れが簡単に行える。
【００１８】
（２）加熱時の天板の変形を防止でき、しかもシールパッキンのシール性を確保することができる。
【００１９】
（３）温度センサー付きのこんろを有するものにあっては、天板が変形すると鍋底と温度センサーが密着せず、正確な温度が測定できなくなるが、変形を防止することができるため、そのような不具合が生じない。
【００２０】
（４）天板が係止されていないと汁受け皿が正しく装着されないため、天板の係止忘れを発見することができる。
【００２１】
（５）天板が係止されていなくても汁受け皿を所定以上の荷重で天板に載置することにより、支持レバーがスライドして天板を係止するため、確実に天板を係止することができる。
【図面の簡単な説明】
【図１】本発明の一実施例の組込型調理機器の要部断面図
【図２】同組込型調理機器の天板の裏面図
【図３】同組込型調理機器の要部上面図
【図４】同組込型調理機器の要部正面図
【図５】流し台の斜視図
【図６】従来の組込型調理機器の天板の裏面図
【図７】同組込型調理機器の要部断面図
【図８】同組込型調理機器の要部断面図
【符号の説明】
２  天板
３  支持金具
４  調理機器本体
５  支持レバー
５ａ  先端部
５ｂ  レバーつまみ
５ｃ  アーム
８  シールパッキン
９  流し台上面
１０  位置決め孔
１１  位置決め爪
１４  汁受け皿
１４ａ  傾斜面
【図１】
0003700188.tif 000002
【図２】
0003700188.tif 000003
【図３】
0003700188.tif 000004
【図４】
0003700188.tif 000005
【図５】
0003700188.tif 000006
【図６】
0003700188.tif 000007
【図７】
0003700188.tif 000008
【図８】
0003700188.tif 000009